【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位でマージ候補のインター予測情報によるインター予測を用いて前記動画像を符号化する動画像符号化装置であって、
指定されたマージ候補の数を示す情報を符号化する予測情報符号化部と、
符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出部と、
前記導出されたマージ候補からマージ候補リストを構築する候補リスト構築部と、
構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充部と、
前記マージ候補から１つのマージ候補を選択して、その選択されたマージ候補のインター予測情報により前記符号化対象の予測ブロックのインター予測を行う動き補償予測部とを備えることを特徴とする動画像符号化装置。
【請求項２】
動画像の各ピクチャを分割したブロック単位でマージ候補のインター予測情報によるインター予測を用いて前記動画像を符号化する動画像符号化方法であって、
指定されたマージ候補の数を示す情報を符号化する予測情報符号化ステップと、
符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充ステップと、
前記マージ候補から１つのマージ候補を選択して、その選択されたマージ候補のインター予測情報により前記符号化対象の予測ブロックのインター予測を行う動き補償予測ステップとを有することを特徴とする動画像符号化方法。
【請求項３】
動画像の各ピクチャを分割したブロック単位でマージ候補のインター予測情報によるインター予測を用いて前記動画像を符号化する動画像符号化プログラムであって、
指定されたマージ候補の数を示す情報を符号化する予測情報符号化ステップと、
符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充ステップと、
前記マージ候補から１つのマージ候補を選択して、その選択されたマージ候補のインター予測情報により前記符号化対象の予測ブロックのインター予測を行う動き補償予測ステップとをコンピュータに実行させることを特徴とする動画像符号化プログラム。
【請求項４】
動画像の各ピクチャを分割したブロック単位でマージ候補のインター予測情報によるインター予測を用いて前記動画像を符号化する動画像符号化方法により符号化された符号化ビット列をパケット化して符号化ストリームを得るパケット処理部と、
パケット化された前記符号化ストリームを送信する送信部とを備え、
前記動画像符号化方法は、
指定されたマージ候補の数を示す情報を符号化する予測情報符号化ステップと、
符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充ステップと、
前記マージ候補から１つのマージ候補を選択して、その選択されたマージ候補のインター予測情報により前記符号化対象の予測ブロックのインター予測を行う動き補償予測ステップとを有することを特徴とする送信装置。
【請求項５】
動画像の各ピクチャを分割したブロック単位でマージ候補のインター予測情報によるインター予測を用いて前記動画像を符号化する動画像符号化方法により符号化された符号化ビット列をパケット化して符号化ストリームを得るパケット処理ステップと、
パケット化された前記符号化ストリームを送信する送信ステップとを有し、
前記動画像符号化方法は、
指定されたマージ候補の数を示す情報を符号化する予測情報符号化ステップと、
符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充ステップと、
前記マージ候補から１つのマージ候補を選択して、その選択されたマージ候補のインター予測情報により前記符号化対象の予測ブロックのインター予測を行う動き補償予測ステップとを有することを特徴とする送信方法。
【請求項６】
動画像の各ピクチャを分割したブロック単位でマージ候補のインター予測情報によるインター予測を用いて前記動画像を符号化する動画像符号化方法により符号化された符号化ビット列をパケット化して符号化ストリームを得るパケット処理ステップと、
パケット化された前記符号化ストリームを送信する送信ステップとコンピュータに実行させ、
前記動画像符号化方法は、
指定されたマージ候補の数を示す情報を符号化する予測情報符号化ステップと、
符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充ステップと、
前記マージ候補から１つのマージ候補を選択して、その選択されたマージ候補のインター予測情報により前記符号化対象の予測ブロックのインター予測を行う動き補償予測ステップとを有することを特徴とする送信プログラム。
【手続補正２】
【補正対象書類名】明細書
【補正対象項目名】００１５
【補正方法】変更
【補正の内容】
【００１５】
上記課題を解決するために、本発明のある態様の動画像符号化装置は、動画像の各ピクチャを分割したブロック単位でマージ候補のインター予測情報によるインター予測を用いて前記動画像を符号化する動画像符号化装置であって、指定されたマージ候補の数を示す情報を符号化する予測情報符号化部（１１０）と、符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出部（１０４）と、前記導出されたマージ候補からマージ候補リストを構築する候補リスト構築部（１３０）と、構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充部（１３５）と、前記マージ候補から１つのマージ候補を選択して、その選択されたマージ候補のインター予測情報により前記符号化対象の予測ブロックのインター予測を行う動き補償予測部（１０５）とを備える。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
本発明のさらに別の態様は、動画像符号化方法である。この方法は、動画像の各ピクチャを分割したブロック単位でマージ候補のインター予測情報によるインター予測を用いて前記動画像を符号化する動画像符号化方法であって、指定されたマージ候補の数を示す情報を符号化する予測情報符号化ステップと、符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出ステップと、前記導出されたマージ候補からマージ候補リストを構築する候補リスト構築ステップと、構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充ステップと、前記マージ候補から１つのマージ候補を選択して、その選択されたマージ候補のインター予測情報により前記符号化対象の予測ブロックのインター予測を行う動き補償予測ステップとを有する。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】変更
【補正の内容】
【００２６】
本発明のさらに別の態様は、送信装置である。この装置は、動画像の各ピクチャを分割したブロック単位でマージ候補のインター予測情報によるインター予測を用いて前記動画像を符号化する動画像符号化方法により符号化された符号化ビット列をパケット化して符号化ストリームを得るパケット処理部と、パケット化された前記符号化ストリームを送信する送信部とを備える。前記動画像符号化方法は、指定されたマージ候補の数を示す情報を符号化する予測情報符号化ステップと、符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出ステップと、前記導出されたマージ候補からマージ候補リストを構築する候補リスト構築ステップと、構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充ステップと、前記マージ候補から１つのマージ候補を選択して、その選択されたマージ候補のインター予測情報により前記符号化対象の予測ブロックのインター予測を行う動き補償予測ステップとを有する。
【手続補正１４】
【補正対象書類名】明細書
【補正対象項目名】００２７
【補正方法】変更
【補正の内容】
【００２７】
本発明のさらに別の態様は、送信方法である。この方法は、動画像の各ピクチャを分割したブロック単位でマージ候補のインター予測情報によるインター予測を用いて前記動画像を符号化する動画像符号化方法により符号化された符号化ビット列をパケット化して符号化ストリームを得るパケット処理ステップと、パケット化された前記符号化ストリームを送信する送信ステップとを有する。前記動画像符号化方法は、指定されたマージ候補の数を示す情報を符号化する予測情報符号化ステップと、符号化対象の予測ブロックに隣接する予測ブロック、または符号化対象の予測ブロックと時間的に異なる符号化済みのピクチャにおける前記符号化対象の予測ブロックと同一位置あるいはその付近に存在する予測ブロックのインター予測情報から、前記マージ候補を導出する予測情報導出ステップと、前記導出されたマージ候補からマージ候補リストを構築する候補リスト構築ステップと、構築された前記マージ候補リストに含まれるマージ候補の数が前記指定されたマージ候補の数未満であった場合、前記マージ候補リストに含まれるマージ候補の数が前記指定されたマージ候補の数に達するまで、繰り返して、予測モードが同じ値であり参照インデックスが同じ値であり動きベクトルが同じ値であるマージ候補を、前記マージ候補リストに追加する候補補充ステップと、前記マージ候補から１つのマージ候補を選択して、その選択されたマージ候補のインター予測情報により前記符号化対象の予測ブロックのインター予測を行う動き補償予測ステップとを有する。